(57)【要約】本発明は、１０〜６０℃の広い温度範囲の総合的な遮音性能に優れた合わせガラス用中間膜を提供することを目的とする。本発明は、ポリビニルアセタール樹脂と可塑剤とを含有する遮音層１、中間層及び遮音層２がこの順に積層された合わせガラス用中間膜であって、前記遮音層１におけるポリビニルアセタール樹脂１００重量部に対する可塑剤の含有量と前記遮音層２におけるポリビニルアセタール樹脂１００重量部に対する可塑剤の含有量との差が５〜６０重量部であり、前記遮音層１及び前記遮音層２に含まれるポリビニルアセタール樹脂のアセチル基量が、前記中間層に含まれるポリビニルアセタール樹脂のアセチル基量より多い合わせガラス用中間膜である。【特許請求の範囲】
【請求項１】
ポリビニルアセタール樹脂と可塑剤とを含有する遮音層１、中間層及び遮音層２がこの順に積層された合わせガラス用中間膜であって、
前記遮音層１におけるポリビニルアセタール樹脂１００重量部に対する可塑剤の含有量と前記遮音層２におけるポリビニルアセタール樹脂１００重量部に対する可塑剤の含有量との差が５〜６０重量部であり、前記遮音層１及び前記遮音層２に含まれるポリビニルアセタール樹脂のアセチル基量が、前記中間層に含まれるポリビニルアセタール樹脂のアセチル基量より多い
ことを特徴とする合わせガラス用中間膜。
【請求項２】
遮音層１におけるポリビニルアセタール樹脂１００重量部に対する可塑剤の含有量と遮音層２におけるポリビニルアセタール樹脂１００重量部に対する可塑剤の含有量との差が３０〜６０重量部であることを特徴とする請求項１記載の合わせガラス用中間膜。
【請求項３】
遮音層１及び遮音層２におけるポリビニルアセタール樹脂１００重量部に対する可塑剤の含有量は２０〜９０重量部であることを特徴とする請求項１又は２記載の合わせガラス用中間膜。
【請求項４】
遮音層１におけるポリビニルアセタール樹脂１００重量部に対する可塑剤の含有量と遮音層２におけるポリビニルアセタール樹脂１００重量部に対する可塑剤の含有量との少なくとも一方は、中間層におけるポリビニルアセタール樹脂１００重量部に対する可塑剤の含有量より多いことを特徴とする請求項１又は２記載の合わせガラス用中間膜。
【請求項５】
遮音層１及び遮音層２に含まれるポリビニルアセタール樹脂のアセチル基量が、中間層に含まれるポリビニルアセタール樹脂のアセチル基量より５ｍｏｌ％以上多いことを特徴とする請求項１又は２記載の合わせガラス用中間膜。
【請求項６】
遮音層１及び遮音層２に含まれるポリビニルアセタール樹脂のアセチル基量が２１ｍｏｌ％以下であることを特徴とする請求項１又は２記載の合わせガラス用中間膜。
【請求項７】
中間層に含まれるポリビニルアセタール樹脂のアセチル基量は６ｍｏｌ％以下であることを特徴とする請求項１又は２記載の合わせガラス用中間膜。
【請求項８】
遮音層１の中間層側とは反対側の面に、表面保護層１を有することを特徴とする請求項１又は２記載の合わせガラス用中間膜。
【請求項９】
表面保護層１は、ポリビニルアセタール樹脂を含有し、表面保護層１に含有されるポリビニルアセタール樹脂のアセチル基量が、遮音層１に含まれるポリビニルアセタール樹脂のアセチル基量より少ないことを特徴とする請求項８記載の合わせガラス用中間膜。
【請求項１０】
遮音層２の中間層側とは反対側の面に、表面保護層２を有することを特徴とする請求項１又は２記載の合わせガラス用中間膜。
【請求項１１】
表面保護層２は、ポリビニルアセタール樹脂を含有し、表面保護層２に含有されるポリビニルアセタール樹脂のアセチル基量が、遮音層２に含まれるポリビニルアセタール樹脂のアセチル基量より少ないことを特徴とする請求項１０記載の合わせガラス用中間膜。
【請求項１２】
遮音層１の中間層側とは反対側の面に、表面保護層１を有し、かつ、遮音層２の中間層側とは反対側の面に、表面保護層２を有することを特徴とする請求項１又は２記載の合わせガラス用中間膜。
【請求項１３】
表面保護層１は、ポリビニルアセタール樹脂を含有し、表面保護層１に含有されるポリビニルアセタール樹脂のアセチル基量が、遮音層１に含まれるポリビニルアセタール樹脂のアセチル基量より少なく、かつ、表面保護層２は、ポリビニルアセタール樹脂を含有し、表面保護層２に含有されるポリビニルアセタール樹脂のアセチル基量が、遮音層２に含まれるポリビニルアセタール樹脂のアセチル基量より少ないことを特徴とする請求項１２記載の合わせガラス用中間膜。
【請求項１４】
請求項１記載の合わせガラス用中間膜が、２枚の透明板の間に挟み込まれていることを特徴とする合わせガラス。
【発明の詳細な説明】
【技術分野】
【０００１】
本発明は、１０〜６０℃の広い温度範囲の総合的な遮音性能に優れた合わせガラス用中間膜に関する。
【背景技術】
【０００２】
合わせガラスは、外部衝撃を受けて破損してもガラスの破片が飛散することが少ないため、安全性が高い。そのため、自動車等の車両、航空機、建築物等の窓ガラス等として広く使用されている。合わせガラスとして、少なくとも一対のガラス板間に、例えば、ポリビニルブチラール樹脂等のポリビニルアセタール樹脂と可塑剤とを含有する合わせガラス用中間膜を介在させ、積層し、一体化させた合わせガラス等が挙げられる。【０００３】
近年、合わせガラスを軽量化するために、合わせガラスの厚さを薄くすることが検討されている。しかし、合わせガラスの厚さを薄くすると、遮音性が低下するという問題があった。このような合わせガラスを自動車等のフロントガラスとして用いた場合、風切り音やワイパーの駆動音等の２０００〜５０００Ｈｚ程度の音域の遮音性が充分に得られない。【０００４】
このような問題に対して、例えば、特許文献１には、ポリビニルアセタール樹脂に対して大量の可塑剤を配合した中間層を、中間層に含有されるポリビニルアセタール樹脂と比較して、アセチル基量が少ないポリビニルアセタール樹脂に対して少量の可塑剤を配合した、２層の保護層で挟持した合わせガラス用中間膜が開示されている。このような合わせガラス用中間膜は、高い遮音性能を発揮することができるとされている。【０００５】
特許文献１に記載された合わせガラス用中間膜を用いた合わせガラスは、確かに２５℃程度の常温域においては極めて高い遮音性能を発揮する。しかしながら、自動車等の使用環境は、通常１０〜６０℃という幅広い温度範囲であるところ、このような広い温度範囲の総合的な遮音性能という点では不充分であるという問題があった。
【先行技術文献】
【特許文献】
【０００６】
【特許文献１】特開２００４−０７５５０１号公報
【発明の概要】
【発明が解決しようとする課題】
【０００７】
本発明は、１０〜６０℃の広い温度範囲の総合的な遮音性能に優れた合わせガラス用中間膜を提供することを目的とする。
【課題を解決するための手段】
【０００８】
本発明は、ポリビニルアセタール樹脂と可塑剤とを含有する遮音層１、中間層及び遮音層２がこの順に積層された合わせガラス用中間膜であって、前記遮音層１におけるポリビニルアセタール樹脂１００重量部に対する可塑剤の含有量と前記遮音層２におけるポリビニルアセタール樹脂１００重量部に対する可塑剤の含有量との差が５〜６０重量部であり、前記遮音層１及び前記遮音層２に含まれるポリビニルアセタール樹脂のアセチル基量が、前記中間層に含まれるポリビニルアセタール樹脂のアセチル基量より多い合わせガラス用中間膜である。
以下に本発明を詳述する。【０００９】
本発明者は、特許文献１に記載された合わせガラス用中間膜が広い温度範囲の総合的な遮音性能という点では不充分である原因について検討を行った。そして、特許文献１に記載された合わせガラス用中間膜では、中間層に由来する遮音性能のピークと、保護層に由来する遮音性能のピークとの間に遮音性能の谷間が存在し、この谷間に該当する温度域においては遮音性能が不充分となることを見出した。
本発明者は、更に鋭意検討の結果、中間層に含有されるポリビニルアセタール樹脂と比較して、２層の遮音層にアセチル基量が多いポリビニルアセタール樹脂を用い、可塑剤の含有量に一定以上の差を設けることにより、１０〜６０℃という幅広い温度範囲において高い遮音性能を発揮できることを見出した。一方、このように可塑剤の含有量の大きな遮音層を積層すると、可塑剤が濃度差を解消する方向に移行しやすくなる。そこで、２層の遮音層の間にアセチル基量が少ないポリビニルアセタール樹脂からなる中間層を配置することにより、該２層の遮音層間の可塑剤の移行を防止することもできる。【００１０】
本発明の合わせガラス用中間膜では、遮音層１、中間層及び遮音層２がこの順に積層されている。
上記遮音層１及び遮音層２は、ポリビニルアセタール樹脂（以下、「ポリビニルアセタール樹脂Ａ」ともいう。）と可塑剤とを含有する。
ポリビニルアセタール樹脂Ａは特に限定されないが、アセタール基の炭素数が３又は４であるポリビニルアセタール樹脂が好ましく、アセタール基の炭素数が３又は４であり、かつ、アセチル基量が３０ｍｏｌ％以下であり、平均重合度が５００〜５０００であるポリビニルアセタール樹脂がより好ましい。【００１１】
上記ポリビニルアセタール樹脂Ａに含まれるアセタール基の炭素数は３又は４であることが好ましい。即ち、上記ポリビニルアセタール樹脂Ａを製造するのに用いるアルデヒドは、炭素数が３又は４のアルデヒドであることが好ましい。上記ポリビニルアセタール樹脂Ａに含まれるアセタール基の炭素数が３未満であると、充分な遮音性能が得られないことがある。なかでも、上記ポリビニルアセタール樹脂Ａは、炭素数が４のｎ−ブチルアルデヒドを用いてブチラール化されたポリビニルブチラール樹脂であることが好ましい。【００１２】
上記炭素数が３又は４のアルデヒドは、例えば、プロピオンアルデヒド、ｎ−ブチルアルデヒド、イソブチルアルデヒド等が挙げられる。なかでも、ｎ−ブチルアルデヒドが好適である。上記アルデヒドは、単独で使用されてもよく、２種以上が併用されてもよい。【００１３】
上記ポリビニルアセタール樹脂Ａは、アセチル基量の好ましい上限が３０ｍｏｌ％である。上記ポリビニルアセタール樹脂Ａのアセチル基量が３０ｍｏｌ％を超えると、上記ポリビニルアルコールとアルデヒドとの反応性が著しく低下することからポリビニルアセタール樹脂の製造が困難になることがある。上記ポリビニルアセタール樹脂Ａのアセチル基量の好ましい下限は３ｍｏｌ％、好ましい上限は２５ｍｏｌ％であり、より好ましい下限は６ｍｏｌ％、より好ましい上限は２１ｍｏｌ％である。
上記アセチル基量は、例えば、ＪＩＳ  Ｋ６７２８「ポリビニルブチラール試験方法」に準拠して測定できる。【００１４】
上記ポリビニルアセタール樹脂Ａは、平均重合度の好ましい下限が５００、好ましい上限が５０００である。上記ポリビニルアセタール樹脂Ａの平均重合度が５００未満であると、合わせガラスの耐貫通性が低下することがある。上記ポリビニルアセタール樹脂Ａの平均重合度が５０００を超えると、合わせガラス用中間膜の成形が困難になることがある。上記ポリビニルアセタール樹脂Ａの平均重合度のより好ましい下限は８００、より好ましい上限は３０００であり、更に好ましい下限は１５００、更に好ましい上限は２７００である。【００１５】
上記ポリビニルアセタール樹脂Ａはポリビニルアルコールをアルデヒドによりアセタール化することにより製造される。
上記ポリビニルアルコールは、ポリ酢酸ビニルを鹸化することにより製造される。
上記ポリビニルアルコールの鹸化度の好ましい下限は７０ｍｏｌ％、好ましい上限は９９．８ｍｏｌ％である。【００１６】
上記ポリビニルアルコールは、平均重合度の好ましい下限が５００、好ましい上限が５０００である。上記ポリビニルアルコールの平均重合度が５００未満であると、合わせガラスの耐貫通性が低下することがある。上記ポリビニルアルコールの平均重合度が５０００を超えると、合わせガラス用中間膜の成形が困難になることがある。上記ポリビニルアルコールの平均重合度のより好ましい下限は８００、より好ましい上限は３０００であり、更に好ましい下限は１５００、更に好ましい上限は２７００である。【００１７】
上記ポリビニルアセタール樹脂Ａは、水酸基量の好ましい上限が３５ｍｏｌ％である。上記ポリビニルアセタール樹脂Ａの水酸基量が３５ｍｏｌ％を超えると、合わせガラス用中間膜を成形することが困難になることがある。上記ポリビニルアセタール樹脂Ａの水酸基量の好ましい下限は１５ｍｏｌ％であり、より好ましい上限は３０ｍｏｌ％である。
上記水酸基量は、例えば、ＪＩＳ  Ｋ６７２８「ポリビニルブチラール試験方法」に準拠して測定できる。【００１８】
上記可塑剤は特に限定されず、例えば、一塩基性有機酸エステル、多塩基性有機酸エステル等の有機エステル可塑剤、有機リン酸可塑剤、有機亜リン酸可塑剤等のリン酸可塑剤等が挙げられる。【００１９】
上記一塩基性有機酸エステルは特に限定されず、例えば、トリエチレングリコール、テトラエチレングリコール、トリプロピレングリコール等のグリコールと、酪酸、イソ酪酸、カプロン酸、２−エチル酪酸、ヘプチル酸、ｎ−オクチル酸、２−エチルヘキシル酸、ペラルゴン酸（ｎ−ノニル酸）、デシル酸等の一塩基性有機酸との反応によって得られたグリコールエステル等が挙げられる。【００２０】
上記多塩基性有機酸エステルは特に限定されず、例えば、アジピン酸、セバシン酸、アゼライン酸等の多塩基性有機酸と、炭素数４〜８の直鎖又は分岐構造を有するアルコールとのエステル化合物が挙げられる。【００２１】
上記有機エステル可塑剤は特に限定されず、例えば、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリエート、テトラエチレングリコールジ−ｎ−ヘプタノエート、トリエチレングリコールジ−２−エチルブチレート、トリエチレングリコールジヘプタノエート、テトラエチレングリコールジヘプタノエート、ジヘキシルアジペート、アジピン酸ジオクチル、アジピン酸ヘキシルシクロヘキシル、アジピン酸ジイソノニル、アジピン酸ヘプチルノニル、セバシン酸ジブチル等が挙げられる。【００２２】
上記有機リン酸可塑剤は特に限定されず、例えば、トリブトキシエチルホスフェート、イソデシルフェニルホスフェート、トリイソプロピルホスフェート等が挙げられる。【００２３】
上記可塑剤は、ジヘキシルアジペート（ＤＨＡ）、トリエチレングリコールジ−２−エチルヘキサノエート（３ＧＯ）、テトラエチレングリコールジ−２−エチルヘキサノエート（４ＧＯ）、トリエチレングリコールジ−２−エチルブチレート（３ＧＨ）、テトラエチレングリコールジ−２−エチルブチレート（４ＧＨ）、テトラエチレングリコールジ−ｎ−ヘプタノエート（４Ｇ７）及びトリエチレングリコールジ−ｎ−ヘプタノエート（３Ｇ７）からなる群より選択される少なくとも１種であることが好ましい。なかでも、加水分解しにくいことから、トリエチレングリコールジ−２−エチルヘキサノエート（３ＧＯ）、トリエチレングリコールジ−２−エチルブチレート（３ＧＨ）、テトラエチレングリコールジ−２−エチルヘキサノエート（４ＧＯ）、ジヘキシルアジペート（ＤＨＡ）がより好ましく、トリエチレングリコールジ−２−エチルヘキサノエート（３ＧＯ）が更に好ましい。【００２４】
上記遮音層１及び遮音層２の可塑剤の含有量は、上記ポリビニルアセタール樹脂Ａ１００重量部に対する好ましい下限が２０重量部、好ましい上限が９０重量部である。上記遮音層１及び遮音層２の可塑剤の含有量が２０重量部未満であると、層形状の形成が困難となることがあり、９０重量部を超えると、可塑剤がブリードアウトしたり、取扱いが困難になったりすることがある。上記遮音層１及び遮音層２の可塑剤の含有量のより好ましい上限は８０重量部であり、更に好ましい上限は７０重量部である。【００２５】
上記遮音層１におけるポリビニルアセタール樹脂Ａ１００重量部に対する可塑剤の含有量と上記遮音層２におけるポリビニルアセタール樹脂Ａ１００重量部に対する可塑剤の含有量との差の下限は５重量部、上限は６０重量部である。上記可塑剤の含有量の差がこの範囲内にあると、１０〜６０℃の広い温度範囲で総合的に高い遮音性能を発揮することができる。上記可塑剤の含有量の差の好ましい下限は１０重量部、より好ましい下限は２０重量部、特に好ましい下限は３０重量部である。上記可塑剤の含有量の差の好ましい上限は５５重量部、より好ましい上限は５０重量部である。【００２６】
上記遮音層１におけるポリビニルアセタール樹脂１００重量部に対する可塑剤の含有量と上記遮音層２におけるポリビニルアセタール樹脂１００重量部に対する可塑剤の含有量との少なくとも一方は、上記中間層におけるポリビニルアセタール樹脂１００重量部に対する可塑剤の含有量より多いことが好ましい。【００２７】
上記中間層は、ポリビニルアセタール樹脂（以下、「ポリビニルアセタール樹脂Ｂ」ともいう。）と可塑剤とを含有する。
上記ポリビニルアセタール樹脂Ｂは特に限定されないが、アセタール基の炭素数が３又は４であるポリビニルアセタール樹脂が好ましく、アセタール基の炭素数が３又は４であり、かつ、アセタール化度が６０〜８５ｍｏｌ％、アセチル基量が１０ｍｏｌ％以下のポリビニルアセタール樹脂がより好ましい。【００２８】
上記ポリビニルアセタール樹脂Ｂに含まれるアセタール基の炭素数は特に限定されないが、３又は４であることが好ましい。即ち、上記ポリビニルアセタール樹脂Ｂを製造するのに用いるアルデヒドは特に限定されず、上記ポリビニルアセタール樹脂Ａに用いるアルデヒドと同様のアルデヒドを用いることができる。なかでも、上記ポリビニルアセタール樹脂Ｂは、炭素数が４のｎ−ブチルアルデヒドを用いてブチラール化されたポリビニルブチラール樹脂であることが好ましい。【００２９】
上記ポリビニルアセタール樹脂Ｂのアセチル基量は、上記ポリビニルアセタール樹脂Ａのアセチル基量よりも少ない。上記ポリビニルアセタール樹脂Ｂのアセチル基量が上記ポリビニルアセタール樹脂Ａのアセチル基量よりも多いと、遮音層１、遮音層２から中間層へ可塑剤が移行しやすくなり、上記遮音層１と遮音層２との可塑剤の含有量の差を維持することができない。【００３０】
本発明は、上記遮音層に含まれるポリビニルアセタール樹脂のアセチル基量が上記中間層に含まれるポリビニルアセタール樹脂のアセチル基量より多いという要件１を有する。上記要件１を有することにより、上記遮音層におけるポリビニルアセタール樹脂１００重量部に対する可塑剤の含有量が、上記中間層におけるポリビニルアセタール樹脂１００重量部に対する可塑剤の含有量と同一であっても、上記遮音層に由来する遮音性能のピークと上記中間層に由来する遮音性能のピークの位置が異なる。
また、本発明は、上記遮音層１におけるポリビニルアセタール樹脂１００重量部に対する可塑剤の含有量と上記遮音層２におけるポリビニルアセタール樹脂１００重量部に対する可塑剤の含有量との差が５〜６０重量部であるという要件２を有する。上記要件２を有することにより、上記遮音層１に由来する遮音性能のピークと上記遮音層２に由来する遮音性能のピークの位置が異なる。
上記要件１と要件２とを有する本発明の合わせガラス用中間膜は、上記遮音層１、遮音層２及び中間層にそれぞれ由来する遮音性能のピークが得られるため、１０〜６０℃の広い温度範囲の総合的な遮音性能に優れる。
なお、仮に、上記遮音層１、遮音層２及び中間層にそれぞれ由来する遮音性能のピークが一部重複したとしても、遮音性能の絶対値が向上するため、１０〜６０℃の広い温度範囲の総合的な遮音性能に優れた合わせガラス用中間膜を得ることができる。【００３１】
上記ポリビニルアセタール樹脂Ｂのアセチル基量と上記ポリビニルアセタール樹脂Ａのアセチル基量との差は特に限定されないが、好ましい下限は５ｍｏｌ％、より好ましい下限は１０ｍｏｌ％である。上記ポリビニルアセタール樹脂Ｂのアセチル基量と上記ポリビニルアセタール樹脂Ａのアセチル基量との差の上限は特に限定されないが、好ましい上限は３０ｍｏｌ％、より好ましい上限は２０ｍｏｌ％である。【００３２】
上記ポリビニルアセタール樹脂Ｂのアセチル基量は１０ｍｏｌ％以下であることが好ましい。アセチル基量が１０ｍｏｌ％を超えると、合わせガラス用中間膜の強度が充分に得られないことがある。上記アセチル基量のより好ましい上限は８ｍｏｌ％、更に好ましい上限は６ｍｏｌ％、特に好ましい上限は１ｍｏｌ％である。
上記アセチル基量は、例えば、ＪＩＳ  Ｋ６７２８「ポリビニルブチラール試験方法」に準拠して測定できる。【００３３】
上記ポリビニルアセタール樹脂Ｂは、アセタール化度の好ましい下限が６０ｍｏｌ％、好ましい上限が８５ｍｏｌ％である。アセタール化度が６０〜８５ｍｏｌ％の範囲内であるポリビニルアセタール樹脂は可塑剤との相溶性が低く、このようなポリビニルアセタール樹脂Ｂを含有する中間層を用いることにより、遮音層１、遮音層２から中間層への可塑剤の移行を防止し、上記遮音層１と遮音層２との可塑剤の含有量の差を維持することができる。上記ポリビニルアセタール樹脂Ｂのアセタール化度が６０ｍｏｌ％未満であると、上記中間層の耐湿性が低下することがある。上記ポリビニルアセタール樹脂Ｂのアセタール化度が８５ｍｏｌ％を超えると、遮音層１、遮音層２に含まれる可塑剤が中間層に移行することがある。上記ポリビニルアセタール樹脂Ｂのアセタール化度のより好ましい下限は６２ｍｏｌ％、より好ましい上限は８０ｍｏｌ％であり、更に好ましい下限は６５ｍｏｌ％、更に好ましい上限は７５ｍｏｌ％である。
上記アセタール化度は、例えば、ＪＩＳ  Ｋ６７２８「ポリビニルブチラール試験方法」に準拠して測定できる。【００３４】
上記ポリビニルアセタール樹脂Ｂはポリビニルアルコールをアルデヒドによりアセタール化することにより製造される。
上記ポリビニルアルコールは、ポリ酢酸ビニルを鹸化することにより製造される。
上記ポリビニルアルコールの鹸化度の好ましい下限は９０ｍｏｌ％、好ましい上限は９９．８ｍｏｌ％である。
上記ポリビニルアルコールは、平均重合度の好ましい下限が５００、好ましい上限が５０００である。上記ポリビニルアルコールの平均重合度が５００未満であると、合わせガラスの耐貫通性が低下することがある。上記ポリビニルアルコールの平均重合度が５０００を超えると、合わせガラス用中間膜の成形が困難になることがある。上記ポリビニルアルコールの平均重合度のより好ましい下限は８００、より好ましい上限は３０００であり、更に好ましい下限は１５００、更に好ましい上限は２７００である。【００３５】
上記中間層に用いる可塑剤は、上述した遮音層１、遮音層２に用いる可塑剤を用いることができる。上記中間層に用いる可塑剤は、上記遮音層１、遮音層２に用いる可塑剤と、同一であってもよく、異なってもよい。【００３６】
上記中間層における可塑剤の含有量は、上記ポリビニルアセタール樹脂Ｂ１００重量部に対して好ましい下限が２５重量部、好ましい上限が５０重量部である。上記中間層における可塑剤の含有量が２５重量部未満であると、合わせガラスの耐貫通性が著しく低下することがある。上記中間層における可塑剤の含有量が５０重量部を超えると、上記中間層から遮音層１、遮音層２へ可塑剤が移行してしまうことがある。上記中間層における可塑剤の含有量の好ましい下限は３０重量部、好ましい上限は４０重量部である。【００３７】
本発明の合わせガラス用中間膜は、少なくとも遮音層１、中間層及び遮音層２がこの順に積層された積層体であればよく、中間層と遮音層１との間、中間層と遮音層２との間、又は、遮音層１、遮音層２の外側に、更に他の樹脂層を有してもよい。
なかでも、本発明の合わせガラス用中間膜の耐貫通性を向上したり、遮音層１、遮音層２からの可塑剤のブリードアウトを防止したりする目的で、遮音層１、遮音層２の外側に表面保護層１、表面保護層２を有することが好ましい。
上記遮音層１の中間層側とは反対側の面に、表面保護層１を有する合わせガラス用中間膜もまた、本発明の１つである。
上記遮音層２の中間層側とは反対側の面に、表面保護層２を有する合わせガラス用中間膜もまた、本発明の１つである。
上記遮音層１の中間層側とは反対側の面に、表面保護層１を有し、かつ、上記遮音層２の中間層側とは反対側の面に、表面保護層２を有する合わせガラス用中間膜もまた、本発明の１つである。【００３８】
上記表面保護層１及び表面保護層２は、ポリビニルアセタール樹脂（以下、「ポリビニルアセタール樹脂Ｃ」ともいう。）と可塑剤とを含有することが好ましい。
上記ポリビニルアセタール樹脂Ｃは特に限定されないが、アセタール基の炭素数が３又は４であるポリビニルアセタール樹脂が好ましく、アセタール基の炭素数が３又は４であり、かつ、アセタール化度が６０〜８５ｍｏｌ％、アセチル基量が１０ｍｏｌ％以下のポリビニルアセタール樹脂がより好ましい。【００３９】
上記ポリビニルアセタール樹脂Ｃに含まれるアセタール基の炭素数は特に限定されないが、３又は４であることが好ましい。即ち、上記ポリビニルアセタール樹脂Ｃを製造するのに用いるアルデヒドは特に限定されず、上記ポリビニルアセタール樹脂Ａに用いるアルデヒドと同様のアルデヒドを用いることができる。上記ポリビニルアセタール樹脂Ｃは、炭素数が４のｎ−ブチルアルデヒドを用いてブチラール化されたポリビニルブチラール樹脂であることが好ましい。【００４０】
上記ポリビニルアセタール樹脂Ｃのアセチル基量は、上記ポリビニルアセタール樹脂Ａのアセチル基量よりも少ないことが好ましい。上記ポリビニルアセタール樹脂Ｃのアセチル基量が上記ポリビニルアセタール樹脂Ａのアセチル基量よりも多いと、遮音層から表面保護層へ可塑剤が移行しやすくなり、上記遮音層１と上記遮音層２との可塑剤の含有量の差を維持することができないことがある。【００４１】
上記ポリビニルアセタール樹脂Ｃのアセチル基量と上記ポリビニルアセタール樹脂Ａのアセチル基量との差の好ましい下限は５ｍｏｌ％、より好ましい下限は１０ｍｏｌ％、更に好ましい下限は１２ｍｏｌ％である。上記ポリビニルアセタール樹脂Ｃのアセチル基量と上記ポリビニルアセタール樹脂Ａのアセチル基量との差の好ましい上限は３０ｍｏｌ％、より好ましい上限は２０ｍｏｌ％である。【００４２】
上記ポリビニルアセタール樹脂Ｃは、アセチル基量が１０ｍｏｌ％以下であることが好ましい。上記ポリビニルアセタール樹脂Ｃのアセチル基量が１０ｍｏｌ％を超えると、合わせガラス用中間膜の耐貫通性が充分に得られないことがある。上記ポリビニルアセタール樹脂Ｃのアセチル基量のより好ましい上限は８ｍｏｌ％、更に好ましい上限は６ｍｏｌ％であり、特に好ましい上限は１ｍｏｌ％である。
上記アセチル基量は、例えば、ＪＩＳ  Ｋ６７２８「ポリビニルブチラール試験方法」に準拠して測定できる。【００４３】
上記ポリビニルアセタール樹脂Ｃは、アセタール化度の好ましい下限が６０ｍｏｌ％、好ましい上限が８５ｍｏｌ％である。アセタール化度が６０〜８５ｍｏｌ％の範囲内であるポリビニルアセタール樹脂は可塑剤との相溶性が低く、このようなポリビニルアセタール樹脂Ｃを含有する表面保護層を用いることにより、遮音層から表面保護層への可塑剤の移行を防止し、上記遮音層１と遮音層２との可塑剤の含有量の差を維持することができる。上記ポリビニルアセタール樹脂Ｃのアセタール化度が６０ｍｏｌ％未満であると、表面保護層の耐湿性が低下することがある。上記ポリビニルアセタール樹脂Ｃのアセタール化度が８５ｍｏｌ％を超えると、遮音層に含まれる可塑剤が表面保護層に移行することがある。上記ポリビニルアセタール樹脂Ｃのアセタール化度のより好ましい下限は６２ｍｏｌ％、より好ましい上限は８０ｍｏｌ％であり、さらに好ましい下限は６５ｍｏｌ％、さらに好ましい上限は７５ｍｏｌ％である。
上記アセタール化度は、例えば、ＪＩＳ  Ｋ６７２８「ポリビニルブチラール試験方法」に準拠して測定できる。【００４４】
上記ポリビニルアセタール樹脂Ｃは、水酸基量の好ましい下限が２０ｍｏｌ％、好ましい上限が３５ｍｏｌ％である。上記ポリビニルアセタール樹脂Ｃの水酸基量が２０ｍｏｌ％未満であると、透明板に対する合わせガラス用中間膜の接着力が低下することがあり、３５ｍｏｌ％を超えると、合わせガラス用中間膜を成形することが困難になることがある。上記ポリビニルアセタール樹脂Ｃの水酸基量のより好ましい下限は２５ｍｏｌ％、より好ましい上限は３４ｍｏｌ％である。
上記水酸基量は、例えば、ＪＩＳ  Ｋ６７２８「ポリビニルブチラール試験方法」に準拠して測定できる。【００４５】
上記ポリビニルアセタール樹脂Ｃはポリビニルアルコールをアルデヒドによりアセタール化することにより製造される。
上記ポリビニルアルコールは、ポリ酢酸ビニルを鹸化することにより製造される。
上記ポリビニルアルコールの鹸化度の好ましい下限は９０ｍｏｌ％、好ましい上限は９９．８ｍｏｌ％である。【００４６】
上記表面保護層に用いる可塑剤は、上述した遮音層に用いる可塑剤を用いることができる。上記表面保護層に用いる可塑剤は、上記遮音層に用いる可塑剤と、同一であってもよく、異なってもよいが、合わせガラス用中間膜の遮音性能を調整しやすいことから、同一の可塑剤を含有することが好ましい。【００４７】
上記表面保護層１、表面保護層２における可塑剤の含有量は、上記ポリビニルアセタール樹脂Ｃ１００重量部に対して好ましい下限が２５重量部、好ましい上限が５０重量部である。上記表面保護層における可塑剤の含有量が２５重量部未満であると、合わせガラスの耐貫通性が著しく低下することがある。上記表面保護層における可塑剤の含有量が５０重量部を超えると、上記表面保護層から遮音層へ可塑剤が移行してしまうことがある。上記表面保護層における可塑剤の含有量の好ましい下限は３０重量部、好ましい上限は４０重量部である。
本発明の合わせガラス用中間膜において、上記表面保護層における可塑剤の含有量を上記遮音層における可塑剤の含有量よりも少なくすることにより、取扱いが容易になる。【００４８】
上記遮音層１、遮音層２、中間層、表面保護層１及び表面保護層２は、必要に応じて分散助剤、酸化防止剤、光安定剤、難燃剤、帯電防止剤、接着力調整剤、耐湿剤、熱線反射剤、熱線吸収剤、蛍光増白剤、青色顔料等の添加剤を含有してもよい。【００４９】
本発明の合わせガラス用中間膜の厚さの好ましい下限は３００μｍ、好ましい上限は２０００μｍである。本発明の合わせガラス用中間膜の厚さが３００μｍ未満であると、充分な耐貫通性が得られないことがある。本発明の合わせガラス用中間膜の厚さが２０００μｍを超えると、実用化されている合わせガラスの厚みを超えてしまうことがある。本発明の合わせガラス用中間膜の厚さのより好ましい下限は４００μｍ、より好ましい上限は１２００μｍである。【００５０】
上記遮音層１及び遮音層２の厚さの好ましい下限は５０μｍ、好ましい上限は３００μｍである。上記遮音層１及び遮音層２の厚さが５０μｍ未満であると、均一な厚さの遮音層を得ることができないことがある。上記遮音層１及び遮音層２の厚さが３００μｍを超えると、合わせガラス用中間膜全体の厚さが厚くなってしまい実用的ではないことがある。上記遮音層１及び遮音層２の厚さのより好ましい下限は８０μｍ、更に好ましい下限は１００μｍ、より好ましい上限は２５０μｍである。【００５１】
上記中間層の厚さの好ましい下限は５０μｍ、好ましい上限は１４００μｍである。上記中間層の厚さが５０μｍ未満であると、上記遮音層１と遮音層２との可塑剤の移行を充分に防止できず、上記遮音層１と遮音層２との可塑剤の含有量の差を維持できないことがある。上記中間層の厚さが１４００μｍを超えると、合わせガラス用中間膜全体の厚さが厚くなってしまい実用的ではないことがある。上記中間層の厚さのより好ましい下限は８０μｍ、更に好ましい下限は１００μｍ、より好ましい上限は７００μｍである。【００５２】
上記表面保護層１及び表面保護層２の厚さの好ましい下限は２００μｍ、好ましい上限は１４００μｍである。上記表面保護層１及び表面保護層２の厚さが２００μｍ未満であると、充分な耐貫通性の向上効果が得られなかったり、上記遮音層１、遮音層２からの可塑剤のブリードアウトを充分に防止できなかったりすることがある。上記表面保護層１及び表面保護層２の厚さが１４００μｍを超えると、合わせガラス用中間膜全体の厚さが厚くなってしまい実用的ではないことがある。上記表面保護層１及び表面保護層２の厚さのより好ましい下限は３００μｍ、より好ましい上限は７００μｍである。【００５３】
本発明の合わせガラス用中間膜の製造方法は特に限定されず、例えば、上記中間層を構成する樹脂組成物、上記遮音層１を構成する樹脂組成物、及び、上記遮音層２を構成する樹脂組成物をプレス成形することによりそれぞれのシートを作製する工程と、該中間層を構成する樹脂組成物により形成されているシートを、上記遮音層１を構成する樹脂組成物により形成されているシートと上記遮音層２を構成する樹脂組成物により形成されているシートで挟持して積層体を形成する工程と、該積層体をプレス成形する工程とを有する方法等が挙げられる。
また、本発明の合わせガラス用中間膜の製造方法は、上記中間層を構成する樹脂組成物、上記遮音層１を構成する樹脂組成物、及び、上記遮音層２を構成する樹脂組成物を、押出機を用いて共押出法により作製する方法も挙げられる。【００５４】
本発明の合わせガラス用中間膜が、２枚の透明板の間に挟み込まれている合わせガラスもまた、本発明の１つである。なお、本発明の合わせガラスをペアガラスの一部として用いてもよい。本発明の合わせガラスに用いられる透明板は特に限定されず、一般に使用されている透明板ガラスを使用することができ、例えば、フロート板ガラス、磨き板ガラス、型板ガラス、網入り板ガラス、線入り板ガラス、着色された板ガラス、熱線吸収板ガラス、熱線反射板ガラス、グリーンガラス等の無機ガラスが挙げられる。また、ポリカーボネートやポリアクリレート等の有機プラスチックス板を用いることもできる。【００５５】
上記板ガラスとして、２種類以上の板ガラスを用いてもよい。例えば、透明フロート板ガラスと、グリーンガラスのような着色された板ガラスとの間に、本発明の合わせガラス用中間膜を挟み込ませることにより得られた合わせガラスが挙げられる。また、上記無機ガラスと、上記有機プラスチックス板との間に、本発明の合わせガラス用中間膜を挟み込ませることにより得られた合わせガラスが挙げられる。
本発明の合わせガラスは、自動車用ガラスとして使用する場合は、フロントガラス、サイドガラス、リアガラス、ルーフガラス、パノラマガラスとして用いることができる。
また、本発明の合わせガラスの製造方法は特に限定されず、従来公知の製造方法を用いることができる。
【発明の効果】
【００５６】
本発明によれば、１０〜６０℃の広い温度範囲において高い遮音性能を発揮できる合わせガラス用中間膜を提供することができる。
【発明を実施するための形態】
【００５７】
以下に実施例を挙げて本発明の態様を更に詳しく説明するが、本発明はこれら実施例のみに限定されない。
【００５８】
（実施例１）
（１）遮音層１を形成する樹脂組成物１の調製
アセチル基量が１３ｍｏｌ％、アセタール基の炭素数が４、ブチラール化度が６５ｍｏｌ％のポリビニルブチラール樹脂（平均重合度２１００）１００重量部に対して、可塑剤としてトリエチレングリコール−ジ−２−エチルヘキサノエート（３ＧＯ）３０重量部を添加し、ミキシングロールで充分に混練することにより、樹脂組成物１を調製した。
【００５９】
（２）遮音層２を形成する樹脂組成物２の調製
アセチル基量が１３ｍｏｌ％、アセタール基の炭素数が４、ブチラール化度が６５ｍｏｌ％のポリビニルブチラール樹脂（平均重合度２１００）１００重量部に対して、可塑剤としてトリエチレングリコール−ジ−２−エチルヘキサノエート（３ＧＯ）６０重量部を添加し、ミキシングロールで充分に混練することにより、樹脂組成物２を調製した。
【００６０】
（３）中間層を形成する樹脂組成物３の調製
アセチル基量が１ｍｏｌ％、アセタール基の炭素数が４、ブチラール化度が６５ｍｏｌ％のポリビニルブチラール樹脂（平均重合度１７００）１００重量部に対して、可塑剤としてトリエチレングリコール−ジ−２−エチルヘキサノエート（３ＧＯ）４０重量部を添加し、ミキシングロールで充分に混練することにより、樹脂組成物３を調製した。
【００６１】
（４）合わせガラス用中間膜の作製
樹脂組成物１を２枚のテフロン（登録商標）シート間に１００μｍのクリアランス板を介して挟み込み、１５０℃にてプレス成形して、厚さ１００μｍの遮音層１を得た。
樹脂組成物２を２枚のテフロン（登録商標）シート間に１００μｍクリアランス板を介して挟み込み、１５０℃にてプレス成形して、厚さ１００μｍの遮音層２を得た。
樹脂組成物３を２枚のテフロン（登録商標）シート間に６００μｍのクリアランス板を介して挟み込み、１５０℃にてプレス成形して、厚さ６００μｍの中間層を得た。
遮音層１と、中間層と、遮音層２とがこの順に積層された積層体を、２枚のテフロン（登録商標）シート間に８００μｍのクリアランス板を介して挟み込み、１５０℃にてプレス成形して、厚さ８００μｍの合わせガラス用中間膜を得た。
【００６２】
（５）合わせガラスの作製
得られた合わせガラス用中間膜を、２枚の透明なフロートガラス板（縦３０ｃｍ×横３０ｃｍ×厚さ２．５ｍｍ）で挟み、これをゴムバック内に入れ、２．６ｋＰａの真空度で２０分間脱気した後、９０℃で３０分間、真空プレスした。このようにして予備圧着された合わせガラスを、オートクレーブで１３５℃、圧力１．２ＭＰａの条件で２０分間圧着を行い、合わせガラスを作製した。
【００６３】
（実施例２〜４、比較例１、２）
可塑剤の含有量を表１に示したようにした以外は実施例１と同様にして、合わせガラス用中間膜及び合わせガラスを得た。
【００６４】
（比較例３）
遮音層１及び遮音層２を樹脂組成物３により成形し、中間層を樹脂組成物１により成形し、可塑剤の含有量を表２に示したようにした以外は実施例１と同様にして、合わせガラス用中間膜及び合わせガラスを得た。
なお、遮音層１及び遮音層２の厚さは３５０μｍ、中間層の厚さは１００μｍとした。
【００６５】
（比較例４）
可塑剤の含有量を表２に示したようにした以外は比較例３と同様にして、合わせガラス用中間膜及び合わせガラスを得た。
【００６６】
（実施例５〜４２、比較例５〜８）
遮音層１、遮音層２及び中間層を構成する樹脂組成物を表３〜１０に示したようにした以外は実施例１と同様にして、合わせガラス用中間膜及び合わせガラスを得た。
【００６７】
（実施例４３）
（１）遮音層１を形成する樹脂組成物４３−１の調製
アセチル基量が６ｍｏｌ％、アセタール基の炭素数が４、ブチラール化度が７０ｍｏｌ％のポリビニルブチラール樹脂（平均重合度２３００）１００重量部に対して、可塑剤としてトリエチレングリコール−ジ−２−エチルヘキサノエート（３ＧＯ）５５重量部を添加し、ミキシングロールで充分に混練することにより、樹脂組成物４３−１を調製した。
【００６８】
（２）遮音層２を形成する樹脂組成物４３−２の調製
アセチル基量が１３ｍｏｌ％、アセタール基の炭素数が４、ブチラール化度が６５ｍｏｌ％のポリビニルブチラール樹脂（平均重合度２１００）１００重量部に対して、可塑剤としてトリエチレングリコール−ジ−２−エチルヘキサノエート（３ＧＯ）６０重量部を添加し、ミキシングロールで充分に混練することにより、樹脂組成物４３−２を調製した。
【００６９】
（３）中間層を形成する樹脂組成物４３−３の調製
アセチル基量が１ｍｏｌ％、アセタール基の炭素数が４、ブチラール化度が６５ｍｏｌ％のポリビニルブチラール樹脂（平均重合度１７００）１００重量部に対して、可塑剤としてトリエチレングリコール−ジ−２−エチルヘキサノエート（３ＧＯ）４０重量部を添加し、ミキシングロールで充分に混練することにより、樹脂組成物４３−３を調製した。
【００７０】
（４）表面保護層１を形成する樹脂組成物４３−４の調製
アセチル基量が１ｍｏｌ％、アセタール基の炭素数が４、ブチラール化度が６５ｍｏｌ％のポリビニルブチラール樹脂（平均重合度１７００）１００重量部に対して、可塑剤としてトリエチレングリコール−ジ−２−エチルヘキサノエート（３ＧＯ）３８重量部を添加し、ミキシングロールで充分に混練することにより、樹脂組成物４３−４を調製した。
【００７１】
（５）表面保護層２を形成する樹脂組成物４３−５の調製
アセチル基量が１ｍｏｌ％、アセタール基の炭素数が４、ブチラール化度が６５ｍｏｌ％のポリビニルブチラール樹脂（平均重合度１７００）１００重量部に対して、可塑剤としてトリエチレングリコール−ジ−２−エチルヘキサノエート（３ＧＯ）３８重量部を添加し、ミキシングロールで充分に混練することにより、樹脂組成物４３−５を調製した。
【００７２】
（６）合わせガラス用中間膜の作製
樹脂組成物４３−１を２枚のテフロン（登録商標）シート間に１００μｍのクリアランス板を介して挟み込み、１５０℃にてプレス成形して、厚さ１００μｍの遮音層１を得た。
樹脂組成物４３−２を２枚のテフロン（登録商標）シート間に１００μｍクリアランス板を介して挟み込み、１５０℃にてプレス成形して、厚さ１００μｍの遮音層２を得た。
樹脂組成物４３−３を２枚のテフロン（登録商標）シート間に１００μｍのクリアランス板を介して挟み込み、１５０℃にてプレス成形して、厚さ１００μｍの中間層を得た。
樹脂組成物４３−４を２枚のテフロン（登録商標）シート間に３００μｍのクリアランス板を介して挟み込み、１５０℃にてプレス成形して、厚さ３００μｍの表面保護層１を得た。
樹脂組成物４３−５を２枚のテフロン（登録商標）シート間に３００μｍのクリアランス板を介して挟み込み、１５０℃にてプレス成形して、厚さ３００μｍの表面保護層２を得た。
表面保護層１、遮音層１、中間層、遮音層２及び表面保護層２をこの順に積層した積層体を、２枚のテフロン（登録商標）シート間に９００μｍのクリアランス板を介して挟み込み、１５０℃にてプレス成形して、厚さ９００μｍの合わせガラス用中間膜を得た。
【００７３】
（７）合わせガラスの作製
得られた合わせガラス用中間膜を、２枚の透明なフロートガラス板（縦３０ｃｍ×横３０ｃｍ×厚さ２．５ｍｍ）で挟み、これをゴムバック内に入れ、２．６ｋＰａの真空度で２０分間脱気した後、９０℃で３０分間、真空プレスした。このようにして予備圧着された合わせガラスを、オートクレーブで１３５℃、圧力１．２ＭＰａの条件で２０分間圧着を行い、合わせガラスを作製した。
【００７４】
（実施例４４〜５０）
表面保護層１、遮音層１、中間層、遮音層２及び表面保護層２を構成する樹脂組成物を表１２〜１４に示したようにした以外は実施例４３と同様にして、合わせガラス用中間膜及び合わせガラスを得た。
【００７５】
（評価）
実施例及び比較例で得られた合わせガラスについて以下の評価を行った。結果を表１〜１４に示した。
【００７６】
（遮音性能の評価）
合わせガラスを縦２５ｍｍ×横３００ｍｍに切り出し、評価用サンプルを作製した。評価用サンプルを１０、２０、３０、４０、５０又は６０℃の恒温槽に１０分間保管した後、評価用サンプルを恒温槽中でダンピング試験用の振動発生器（振研社製の加振機「Ｇ２１−００５Ｄ」）により加振し、そこから得られる振動特性を機械インピーダンスアンプ（リオン社製「ＸＧ−８１」）で増幅し、振動スペクトルをＦＦＴスペクトラムアナライザー（横河ヒューレットパッカード社製「ＦＦＴスペクトラムアナライザーＨＰ  ３５８２Ａ」）により解析して、２０００〜３０００Ｈｚの周波数範囲に有するピークの損失係数を求めた。この損失係数が高いほど遮音性が優れていることを示す。
遮音性能は、各温度において測定した損失係数の平均値を求め、該平均値が０．２５以上の場合を「○」と、０．２５未満の場合を「×」と評価した。
【００７７】
（耐貫通性の評価）
得られた合わせガラス（縦３０ｃｍ×横３０ｃｍ）を、その表面温度が２３℃となるように調整した。次いで、ＪＩＳ  Ｒ  ３２１２に準拠して、４ｍの高さから、合わせガラスに対して、質量２２６０ｇ、直径８２ｍｍの剛球を、合わせガラスの中心部分に落下させた。同様の評価を６枚の合わせガラスについて行い、６枚の合わせガラス全てについて、剛球が衝突した後５秒以内に剛球が貫通しなかった場合を合格とした。剛球が衝突した後５秒以内に剛球が貫通しなかった合わせガラスが３枚以下であった場合は不合格とした。剛球が衝突した後５秒以内に剛球が貫通しなかった合わせガラスが４枚の場合には、新しく６枚の合わせガラスについて再度の耐貫通性評価を行った。剛球が衝突した後５秒以内に剛球が貫通しなかった合わせガラスが５枚の場合には、新しく１枚の合わせガラスを追加試験し、剛球が衝突した後５秒以内に剛球が貫通しなかった場合を合格とした。同様の耐貫通性評価を、落下高さを５ｍに変えて行った。
落下高さが４ｍ及び５ｍにて合格した合わせガラスを「◎」と、落下高さが４ｍのみにて合格した合わせガラスを「○」と評価した。
【００７８】
（ブリードアウト評価）
得られた合わせガラス用中間膜を縦１００ｍｍ×横１００ｍｍに切り出し、離型処理された厚さ１００μｍのＰＥＴフィルム（縦１００ｍｍ×横１００ｍｍ）と、透明なフロートガラス（縦１００ｍｍ×横１００ｍｍ）とを、ガラス／ＰＥＴフィルム／合わせガラス用中間膜／ＰＥＴフィルム／ガラスの順に積層し、真空ラミネーターにて９０℃で、３０分保持し、真空プレスした。その後、ガラス及びＰＥＴフィルムを取り除き、合わせガラス用中間膜を取り出し、２３℃の環境下にて、油性マジックを用いて、合わせガラス用中間膜の表面に、長さ８ｃｍの線を５本引いた。合わせガラス用中間膜を２３℃で４週間保管した。合わせガラス用中間膜を目視にて観察し、４週間保管してもすべての線が滲まなかった場合を「◎」、３週間保管後ではすべての線が滲まなかったが、４週間保管後には少なくとも１本の線が滲んだ場合を「○」と評価した。
【００７９】
【表１】
2010095749.tif 000002
【００８０】
【表２】
2010095749.tif 000003
【００８１】
【表３】
2010095749.tif 000004
【００８２】
【表４】
2010095749.tif 000005
【００８３】
【表５】
2010095749.tif 000006
【００８４】
【表６】
2010095749.tif 000007
【００８５】
【表７】
2010095749.tif 000008
【００８６】
【表８】
2010095749.tif 000009
【００８７】
【表９】
2010095749.tif 000010
【００８８】
【表１０】
2010095749.tif 000011
【００８９】
【表１１】
2010095749.tif 000012
【００９０】
【表１２】
2010095749.tif 000013
【００９１】
【表１３】
2010095749.tif 000014
【００９２】
【表１４】
2010095749.tif 000015
【産業上の利用可能性】
【００９３】
本発明によれば、１０〜６０℃の広い温度範囲の総合的な遮音性能に優れた合わせガラス用中間膜を提供することができる。
【手続補正書】
【提出日】平成23年1月5日(2011.1.5)
【手続補正１】
【補正対象書類名】特許請求の範囲
【補正対象項目名】全文
【補正方法】変更
【補正の内容】
【特許請求の範囲】
【請求項１】
ポリビニルアセタール樹脂と可塑剤とを含有する遮音層１、中間層及び遮音層２がこの順に積層された合わせガラス用中間膜であって、
前記遮音層１におけるポリビニルアセタール樹脂１００重量部に対する可塑剤の含有量と前記遮音層２におけるポリビニルアセタール樹脂１００重量部に対する可塑剤の含有量との差が５〜６０重量部であり、前記遮音層１及び前記遮音層２に含まれるポリビニルアセタール樹脂のアセチル基量が、前記中間層に含まれるポリビニルアセタール樹脂のアセチル基量より５ｍｏｌ％以上多いことを特徴とする合わせガラス用中間膜。
【請求項２】
遮音層１におけるポリビニルアセタール樹脂１００重量部に対する可塑剤の含有量と遮音層２におけるポリビニルアセタール樹脂１００重量部に対する可塑剤の含有量との差が３０〜６０重量部であることを特徴とする請求項１記載の合わせガラス用中間膜。
【請求項３】
遮音層１及び遮音層２におけるポリビニルアセタール樹脂１００重量部に対する可塑剤の含有量は２０〜９０重量部であることを特徴とする請求項１又は２記載の合わせガラス用中間膜。
【請求項４】
遮音層１におけるポリビニルアセタール樹脂１００重量部に対する可塑剤の含有量と遮音層２におけるポリビニルアセタール樹脂１００重量部に対する可塑剤の含有量との少なくとも一方は、中間層におけるポリビニルアセタール樹脂１００重量部に対する可塑剤の含有量より多いことを特徴とする請求項１又は２記載の合わせガラス用中間膜。
【請求項５】
遮音層１及び遮音層２に含まれるポリビニルアセタール樹脂のアセチル基量が２１ｍｏｌ％以下であることを特徴とする請求項１又は２記載の合わせガラス用中間膜。
【請求項６】
中間層に含まれるポリビニルアセタール樹脂のアセチル基量は６ｍｏｌ％以下であることを特徴とする請求項１又は２記載の合わせガラス用中間膜。
【請求項７】
遮音層１の中間層側とは反対側の面に、表面保護層１を有することを特徴とする請求項１又は２記載の合わせガラス用中間膜。
【請求項８】
表面保護層１は、ポリビニルアセタール樹脂を含有し、表面保護層１に含有されるポリビニルアセタール樹脂のアセチル基量が、遮音層１に含まれるポリビニルアセタール樹脂のアセチル基量より少ないことを特徴とする請求項７記載の合わせガラス用中間膜。
【請求項９】
遮音層２の中間層側とは反対側の面に、表面保護層２を有することを特徴とする請求項１又は２記載の合わせガラス用中間膜。
【請求項１０】
表面保護層２は、ポリビニルアセタール樹脂を含有し、表面保護層２に含有されるポリビニルアセタール樹脂のアセチル基量が、遮音層２に含まれるポリビニルアセタール樹脂のアセチル基量より少ないことを特徴とする請求項９記載の合わせガラス用中間膜。
【請求項１１】
遮音層１の中間層側とは反対側の面に、表面保護層１を有し、かつ、遮音層２の中間層側とは反対側の面に、表面保護層２を有することを特徴とする請求項１又は２記載の合わせガラス用中間膜。
【請求項１２】
表面保護層１は、ポリビニルアセタール樹脂を含有し、表面保護層１に含有されるポリビニルアセタール樹脂のアセチル基量が、遮音層１に含まれるポリビニルアセタール樹脂のアセチル基量より少なく、かつ、表面保護層２は、ポリビニルアセタール樹脂を含有し、表面保護層２に含有されるポリビニルアセタール樹脂のアセチル基量が、遮音層２に含まれるポリビニルアセタール樹脂のアセチル基量より少ないことを特徴とする請求項１１記載の合わせガラス用中間膜。
【請求項１３】
請求項１記載の合わせガラス用中間膜が、２枚の透明板の間に挟み込まれていることを特徴とする合わせガラス。
【国際調査報告】
2010095749.tif 000016
2010095749.tif 000017
2010095749.tif 000018
2010095749.tif 000019
2010095749.tif 000020
2010095749.tif 000021